(57)【要約】【課題】装置の動作状況に応じて、白レベル調整に要する時間を短縮することができる原稿読取装置を提供すること目的とする。【解決手段】キャリッジに搭載されて読取位置が移動する読取光学系を備えた原稿読取装置であって、前記キャリッジが所定のホームポジションに位置していることを検出するホームポジション検出手段と、前記キャリッジが前記ホームポジションに位置しているときに読み取り可能な位置に設けられ、所定の基準白画像を形成する基準白背景部と、電源投入時または省エネモードからの復帰時、前記基準白背景部の濃度レベルを検出して、原稿画像を読み取る利得を補正する補正手段を備えた。【選択図】        図３
2010068397.tif 000002
【特許請求の範囲】
【請求項１】
キャリッジに搭載されて読取位置が移動する読取光学系を備えた原稿読取装置であって、
前記キャリッジが所定のホームポジションに位置していることを検出するホームポジション検出手段と、
前記キャリッジが前記ホームポジションに位置しているときに読み取り可能な位置に設けられ、所定の基準白画像を形成する基準白背景部と、
電源投入時または省エネモードからの復帰時、前記基準白背景部の濃度レベルを検出して、原稿画像を読み取る利得を補正する補正手段を備えたことを特徴とする原稿読取装置。
【請求項２】
さらに前記補正手段の補正値を記憶する不揮発性記憶手段を備え、
前記基準濃度検出手段の結果と、前記不揮発性記憶手段の補正値により、前記基準濃度検出手段により検出を行った結果、予め設定された範囲にならない場合は、前記原稿画像を読み取る利得の補正値を再設定することを特徴とする請求項１記載の原稿読取装置。
【請求項３】
前記不揮発性記憶手段に記憶される補正値は、前回の補正時に採用した前回補正値と、当該前回補正値を基準として設定される複数の参照補正値が含まれることを特徴とする請求項２記載の原稿読取装置。
【請求項４】
原稿台に載置された読取原稿を１枚ずつ読取位置へ搬送する自動原稿読取装置をさらに備え、
前記自動原稿読取装置の読取原稿の搬送手段に、前記基準白背景部を設けることを特徴とする請求項１乃至３記載の原稿読取装置。
【発明の詳細な説明】
【技術分野】
【０００１】
本発明は、キャリッジに搭載されて読取位置が移動する読取光学系を備えた原稿読取装置に関する。
【背景技術】
【０００２】
一般に、原稿台上の原稿画像をＣＣＤイメージセンサに結像する走査光学系と、前記ＣＣＤイメージセンサの後段に利得を持つ信号処理回路およびアナログ信号をデジタル信号に変換するＡ／Ｄコンバータとを持つ原稿読取装置では、電源投入時または省エネモードからの復帰時に、白レベル調整を行っている。
【０００３】
ここで、「白レベル調整」とは、ＣＣＤイメージセンサから出力されるアナログ信号出力に対してＡ／Ｄコンバータのダイナミックレンジを有効利用するため、基準となる白板の読み取りレベルを設計時の目標レベルに設定する処理のことであり、基準となる白板（以下、「基準白板」という）を読み取り、ピーク値を検出する。そして得られたピーク値が目標レベルとなる様に最適な補正利得値を乗算処理する。決定した利得は原稿画像読取時の読み取りレベルの補正利得とする。
【０００４】
一般的に白レベル調整を行うに当たって、走査光学系のキャリッジが所定のホームポジションに位置している事を確認し、ホームポジションから基準白板まで移動させ、基準白板の濃度データを読み込むに当たっては、走査光学系のランプを点灯させる必要がある。ランプは点灯させてから光量安定まで規定の待ち時間を要するので、規定の待ち時間後、基準白板濃度データを読み取った後に再びキャリッジをホームポジションへ戻し、白レベル調整終了となる。
【０００５】
このような白レベル調整方法としては、例えば、電源投入時または省エネモードから復帰時に行う初期設定において、白レベル調整（ＡＧＣ）においてキャリッジがＨＰ（ホームポジション）に位置している場合、ＨＰに対向し位置する基準白背景部により白レベル調整（ピーク値検出、利得値決定）処理の一つであるピーク検出を行う。その際、使用する利得値は前回正常に白レベル調整ができた時の値を用いることで、初期設定開始時に直ちにランプ点灯を可能とし、従来行っていたキャリッジのホーミング動作と、白レベル調整を省略する事が可能となり原稿読み取り可能となるスキャナスタンバイまでの時間短縮が可能としたものが提案されている（特許文献１，２参照）。
【０００６】
また、白レベル調整を行う基準白背景部および基準白ベルトの汚れ検出を行う。汚れが検出された場合には、基準背景板または基準白ベルトにおける調整位置をずらすといった位置の選択、またはキャリジを基準白板位置へ移動させ白レベル調整をするといった調整箇所の選択を行うようにしている（特許文献２参照）。
【特許文献１】特開２００７−２８８６８５号公報
【特許文献２】特開２００７−２８８６８５号公報
【発明の開示】
【発明が解決しようとする課題】
【０００７】
しかしながら、これらの従来方法では、前回白レベル調整時からの原稿読取装置の使用頻度が少なくランプ光量低下が殆ど無い場合等においても、通常の白レベル調整動作を行っているので、スキャナスタンバイまでに要する初期設定時間が不要に長くなり、ユーザーにとっては極めて煩わしい待ち時間となっていた。
【０００８】
本発明は、かかる実情に鑑みてなされたものであり、装置の動作状況に応じて、白レベル調整に要する時間を短縮することができる原稿読取装置を提供すること目的とする。
【課題を解決するための手段】
【０００９】
本発明は、キャリッジに搭載されて読取位置が移動する読取光学系を備えた原稿読取装置であって、前記キャリッジが所定のホームポジションに位置していることを検出するホームポジション検出手段と、前記キャリッジが前記ホームポジションに位置しているときに読み取り可能な位置に設けられ、所定の基準白画像を形成する基準白背景部と、電源投入時または省エネモードからの復帰時、前記基準白背景部の濃度レベルを検出して、原稿画像を読み取る利得を補正する補正手段を備えたものである。
【００１０】
また、さらに前記補正手段の補正値を記憶する不揮発性記憶手段を備え、前記基準濃度検出手段の結果と、前記不揮発性記憶手段の補正値により、前記基準濃度検出手段により検出を行った結果、予め設定された範囲にならない場合は、前記原稿画像を読み取る利得の補正値を再設定するようにしたものである。
【００１１】
また、前記不揮発性記憶手段に記憶される補正値は、前回の補正時に採用した前回補正値と、当該前回補正値を基準として設定される複数の参照補正値が含まれるものである。
【００１２】
また、原稿台に載置された読取原稿を１枚ずつ読取位置へ搬送する自動原稿読取装置をさらに備え、前記自動原稿読取装置の読取原稿の搬送手段に、前記基準白背景部を設けたものである。
【発明の効果】
【００１３】
したがって、本発明によれば、基準白板読み取り位置をホームポジション位置にしているので、原稿読取装置に電源が投入された、または省エネモードから復帰した時、従来のようにキャリッジをホームポジションから基準白板読み取り位置へ移動し、再度、ホームポジションへ移動させると言うキャリッジの移動を省略することができ、また、キャリッジがホームポジションに位置している事が確認でき次第、直ちに光量安定までに時間を要するランプ点灯を行うことができるので、電源投入時または省エネモードから復帰してから、ユーザの読取原稿を読み取り可能となるまでの時間を短縮することができるという効果を得る。
【発明を実施するための最良の形態】
【００１４】
以下、添付図面を参照しながら、本発明の実施の形態を詳細に説明する。
【００１５】
図１は、本発明の一実施例にかかる原稿読取装置の概略構成の一例を示している。この原稿読取装置１は、読取原稿を原稿台２から１枚ずつ分離して読取位置ＲＬへ搬送する自動原稿搬送ユニット（ＡＤＦ）１ａと、読取位置の原稿画像を１ラインずつ読み取る画像読取ユニット１ｂからなる。また、画像読取ユニット１ｂは、シートスキャン型の原稿読取機能（シートスキャンモード）と、ブックスキャン型の原稿読取機能（ブックスキャンモード）の２つの原稿読取機能を備える。
【００１６】
自動原稿搬送ユニット１ａにおいて、原稿台２に載置された読取原稿ＰＰは、その最上部に位置するものがピックアップコロ３により取り出されて、分離ユニット４に送り出され、この分離ユニット４により１枚ずつに分離されて送り出しコロ５に送り出される。送り出しコロ５は、１枚の読取原稿をガイド部材ＧＧを通して搬送方向へ送り出す。
【００１７】
それにより、読取原稿ＰＰは、搬送ローラ６と搬送ドラム７に挟持され、また、搬送ドラム７の表面に密着した状態で搬送され、読取位置ＲＬを通過して、排出ローラ８へと搬送され、排出ローラ８により、排紙トレイ９へと排紙される。
【００１８】
また、原稿読取ユニット１ｂでは、読取位置ＲＬに対応して、シートスキャン用のコンタクトガラス１０が配設されている。このコンタクトガラス１０の副走査方向の寸法は、４（ｍｍ）程度である。
【００１９】
また、コンタクトガラス１０の右側には、ブックスキャン用のコンタクトガラス１１が配設されている。また、基準白板ＷＬａは、シェーディング補正用の白基準画像を構成するためのものである。
【００２０】
ランプ１２は、読取原稿ＰＰの原稿面を照明するものであり、この読取原稿ＰＰからの反射光は、第１ミラー１３、第２ミラー１５、および、第３ミラー１６を順次反射して、レンズ１８に導かれ、レンズ１８により集束されて、基板１９に設けられたＣＣＤラインイメージセンサ２０に照射される。
【００２１】
また、ランプ１２と第１ミラー１３は、第１キャリッジ１４に搭載されて副走査方向ＳＳへ往復移動されるとともに、第２ミラー１５および第３ミラー１６は、第２キャリッジ１７に搭載されて副走査方向ＳＳへ往復移動する。また、コンタクトガラス１０からＣＣＤラインイメージセンサ２０までの光路長を維持するために、第２キャリッジ１７は、第１キャリッジ１６の１／２の速度で移動される。
【００２２】
また、スキャナモータ２１は、第１キャリッジ１４および第２キャリッジ１７を駆動するためのものであり、ホームポジションセンサＨＳは、第１キャリッジ１４の読取位置が所定のホームポジションに位置していることを検出するためのものである。
【００２３】
また、自動原稿搬送ユニット１ａは、全体がコンタクトガラス１１に対して開閉する構造となっており、コンタクトガラス１１に対向する部分は、ブック原稿等をコンタクトガラス１１に圧接するための圧板部材を構成している。また、この圧板部材において、キャリッジによるランプ１２のスキャン範囲には、原稿の裏面写り防止のための基準白背景部ＷＬｂが配設されている。
【００２４】
また、コンタクトガラス１０に対向する搬送ドラム７の表面は、白色に彩色され、それにより、搬送ドラム７の表面は、基準白背景部を構成している。
【００２５】
また、ブックスキャンモードでは、キャリッジを副走査方向ＳＳへ移動しながら、ＣＣＤラインイメージセンサ２０を駆動して、コンタクトガラス１１上の原稿画像を読み取る。
【００２６】
また、シートスキャンモードでは、連続して複数枚の原稿を読み取ることが可能であり、この場合は、キャリッジは移動せず、ランプ１２は読取位置ＲＬで停止された状態となる。
【００２７】
図２は、本発明の一実施例にかかる原稿読取装置の概略構成の他の例を示している。なお、同図において、図１と同一部分には、同一符号を付して、その説明を省略する。
【００２８】
この実施例では、図１の構成から自動原稿搬送ユニット１ａを除いた構成となっており、画像読取ユニット１ｂは、ブックスキャン型の原稿読取機能のみを備える。また、読取原稿をコンタクトガラス１１に圧接する圧板部材ＢＰが設けられており、この圧板部材ＢＰには、キャリッジ１４による読み取り光源のスキャン範囲に、原稿の裏面写り防止のための基準白背景部ＷＬｂ’が配設されている。
【００２９】
図３は、本発明の一実施例にかかる原稿読取装置の制御系の一例を示している。
【００３０】
同図において、ＣＰＵ（中央処理装置）３１は、この原稿読取装置の各部の動作を制御したり、他の装置との間の通信を行う機能を実現するためのものであり、ＲＯＭ（リード・オンリ・メモリ）３２は、ＣＰＵ３１が実行するプログラムデータやシステムに必要な各種データを記憶するものであり、ＲＡＭ（ランダム・アクセス・メモリ）３３は、ＣＰＵ３１のワークエリア等を構成するためのものである。
【００３１】
操作表示部３４は、ユーザがこの原稿読取装置を操作するための操作キーや、ユーザに装置の状態等を表示する等の表示装置などからなり、ユーザ・インタフェースを構成するハードウェア資源であり、外部インタフェース回路３５は、外部装置（例えば、ホスト装置など）と接続し、外部装置との間で種々のデータをやりとりするためのものである。
【００３２】
入出力制御部３６は、コンタクトガラス１１の近傍に配設され、コンタクトガラス１１に載置された原稿のサイズを検知するための原稿サイズ検知センサ３７、自動原稿搬送ユニット１ａまたは圧板ＢＰがコンタクトガラス１１に密着しているか（閉じているか）、または、自動原稿搬送ユニット１ａまたは圧板ＢＰがコンタクトガラス１１から離れているか（開いている）を検出するためのＡＤＦ（圧板）開閉センサ３８、スキャナモータ２１などを駆動するためのモータ駆動部３９、ランプ１２を点灯駆動するためのランプ駆動部４０、ＣＣＤラインイメージセンサ２０を駆動して、読取画像データを形成する原稿読み取り部４１、および、キャリッジが所定のホームポジションに位置しているか否かを検出するためのホームポジションセンサＨＳとの間で種々のデータをやりとりするためのものである。
【００３３】
また、ＮＶＲＡＭ（不揮発性メモリ）４２は、システムが保持しておきたいデータ、例えば、利得テーブル（後述）などを記憶するためのものである。
【００３４】
これらのＣＰＵ３１、ＲＯＭ３２、ＲＡＭ３３、操作表示部３４、外部インタフェース回路３５、入出力制御部３６、および、ＮＶＲＡＭ４２は、内部バス３７に接続されており、これらの各要素間のデータのやりとりは、主として、この内部バス３７を介して行われる。
【００３５】
また、電源ユニット４５は、原稿読取装置の各要素へ電源を供給すると共に、省エネモードと通常動作モードで電源の供給先の切換を行う機能を備えており、通常動作モードから省エネモードへの移行と、省エネモードから通常動作モードへの復帰については、ＣＰＵ３１により制御される。
【００３６】
図４は、原稿読み取り部４１の概略構成を示している。
【００３７】
同図において、タイミング発生部５１は、ＣＣＤラインイメージセンサ２０を駆動するための種々のタイミング信号を出力するものであり、ＣＣＤラインイメージセンサ２０から出力されるアナログ画像信号は、アナログ信号処理部５２に加えられている。また、タイミング発生部５１からアナログ信号処理部５２およびＡ／Ｄ（アナログ／デジタル）変換器５３には、必要な種々のタイミング信号が出力されている。
【００３８】
アナログ信号処理部５２は、ＣＣＤラインイメージセンサ２０から１ライン毎に出力されるアナログ画像信号を入力し、アナログ画像信号に対して、オフセットクランプ、サンプル／ホールド（Ｓ／Ｈ）、黒オフセット補正、および、信号増幅などのアナログ信号処理を適用するものであり、その出力信号は、Ａ／Ｄ変換器５３に加えられている。
【００３９】
Ａ／Ｄ変換器５３は、アナログ信号処理部５２の出力信号を対応するデジタル画像信号（デジタルデータ）に変換すると共に、所定のシェーディング補正処理を行うものである。
【００４０】
ここで、黒オフセット補正は、任意の期間の黒レベルを検出し、そのレベルが指定した黒目標値になるようにフィードバック補正する機能であり、この黒レベルの検出を空転送領域（後述）で行っている場合がある（空転送画素は物理的な画素ではないのでＯＰＢ領域に対して広い期間確保できる）。
【００４１】
制御部１００は、ＣＣＤラインイメージセンサ２０の読取動作を制御するために、タイミング発生部５１を適宜に制御するとともに、この原稿読取装置の他の要素を適宜に制御する機能を備えている。
【００４２】
また、タイミング発生部５１は、アナログ信号処理部５２のレジスタ制御も行っている（図示略）。
【００４３】
ところで、原稿読取装置に電源投入、および省エネモードから復帰した場合には１０基準白板の濃度データを読み取る白レベル調整という初期設定処理を行う必要がある。
【００４４】
図５は、本実施例にかかる原稿読取装置における白レベル調整動作の一例を示している。なお、白レベル調整については、上述しているので、詳細な説明を省略する。
【００４５】
まず、白レベル調整開始命令が出た際、直ちにランプ１２を点灯する（ステップ１０１）。次いで、ホームポジションセンサＨＳがオンであることを確認する（ステップ１０２）。もしもキャリッジ（第１キャリッジ１２と第２キャリッジ１７を総称したもの）がホームポジションに位置していない場合、ホームポジションセンサＨＳはオフであり、ステップ１０２の結果がＮＯになるので、ホーミング処理（キャリッジをホームポジションへ移動する動作）を行い（ステップ１０３）、再度ホームポジションセンサＨＳがオンになることを確認する（ステップ１０２）。
【００４６】
その後、ホームポジションセンサＨＳがオンになり、ステップ１０２の結果がＹＥＳになるときには、ステップ１０１で点灯させたランプ１２の光量が安定するまでの必要時間待ち（ステップ１０４）、ホームポジション位置から読み取る事が可能な基準白背景部ＷＬｂ’、または、搬送ドラム７の表面の基準白背景部の濃度検出を行う（ステップ１０５）。
【００４７】
基準白板濃度検出結果、ピーク値を検出し、ピーク値が予め設定した調整目標値になる様に利得を決定する（ステップ１０６）。利得決定を行った後、キャリッジはホームポジションに位置しているため調整終了となり、それにより、直ちに原稿画像の読み取りに移行することができる。
【００４８】
このようにして、この場合には、白レベル調整処理が終了した時点で、キャリッジがホームポジションに位置しているので、直ちに原稿画像の読取動作を行うことができ、読取動作開始までの待ち置換を短縮することができる。
【００４９】
図６は、電源投入時または省エネモードからの復帰時において行われる白レベル調整動作の処理の一例を示している。
【００５０】
まず、電源投入時または省エネモードからの復帰時に、白レベル調整開始命令が出た際、直ちにランプ１２を点灯する（ステップ２０１）。次いで、ホームポジションセンサＨＳがオンであることを確認する（ステップ２０２）。もしもキャリッジがホームポジションに位置していない場合、ホームポジションセンサＨＳはオフであり、ステップ２０２の結果がＮＯになるので、ホーミング処理（キャリッジをホームポジションへ移動する動作）を行い（ステップ２０３）、再度ホームポジションセンサＨＳがオンになることを確認する（ステップ２０２）。
【００５１】
その後、ホームポジションセンサＨＳがオンになり、ステップ２０２の結果がＹＥＳになるときには、ステップ２０１で点灯させたランプ１２の光量が安定するまでの必要時間待ち（ステップ２０４）、ホームポジション位置から読み取る事が可能な基準白背景部ＷＬｂ’の濃度検出を行う（ステップ２０５）。
【００５２】
ここで、白レベル調整開始命令のトリガが省エネモードからの復帰であったかどうかを調べ（ステップ２０６）、ステップ２０６の結果がＹＥＳになるときには、調整目標値生成におけるピーク値に乗算する補正利得は前回正常に調整が終了した時の値とする（ステップ２０７）。
【００５３】
一方、白レベル調整開始命令のトリガが電源投入であった場合には、何らかの影響を受けて、前回使用した利得値では目標値にならない場合が考えられる。その様な場合に備え、ＮＶＲＡＭ４２に保存した利得テーブルの中から、利得値を選択し、ピーク値に乗算する値とする（ステップ２０８）。
【００５４】
このようにして、ピーク値に乗算する利得値が決まった事で調整目標値が決まり（ステップ２０９）、調整終了となる。
【００５５】
利得テーブルの一例を図７に示す。
【００５６】
この利得テーブルは、前回使用した利得値である前回使用利得値と、その前回使用利得値に値α、β、γ・・・を加えた値、あるいは、前回使用利得値から値α、β、γ・・・をを減じた値を要素として持つものであり、例えば、ステップ２０９で調整目標値が決定されると、前回使用利得値が定まるのでこの利得テーブルの内容が更新される。
【００５７】
このようにして、省エネからの復帰時には、前回使用した利得値を選択するようにしているので、白レベル調整に要する時間を大幅に短縮することができる。また、電源投入時の際には、利得テーブルから取り出した値を利得値として選択するようにしているので、白レベル調整に要する時間を大幅に短縮することができる。
【００５８】
図８は、電源投入時または省エネモードからの復帰時において行われる白レベル調整動作の処理の他の例を示している。
【００５９】
まず、電源投入時または省エネモードからの復帰時に、白レベル調整開始命令が出た際、直ちにランプ１２を点灯する（ステップ３０１）。次いで、ホームポジションセンサＨＳがオンであることを確認する（ステップ３０２）。もしもキャリッジがホームポジションに位置していない場合、ホームポジションセンサＨＳはオフであり、ステップ２０２の結果がＮＯになるので、ホーミング処理（キャリッジをホームポジションへ移動する動作）を行い（ステップ３０３）、再度ホームポジションセンサＨＳがオンになることを確認する（ステップ３０２）。
【００６０】
その後、ホームポジションセンサＨＳがオンになり、ステップ３０２の結果がＹＥＳになるときには、ステップ３０１で点灯させたランプ１２の光量が安定するまでの必要時間待ち（ステップ３０４）、ホームポジション位置から読み取る事が可能な基準白背景部ＷＬｂ’の濃度検出を行う（ステップ３０５）。
【００６１】
ここで、白レベル調整開始命令のトリガが省エネモードからの復帰であったかどうかを調べ（ステップ３０６）、ステップ３０６の結果がＹＥＳになるときには、調整目標値生成におけるピーク値に乗算する補正利得は前回正常に調整が終了した時の値とする（ステップ３０７）。
【００６２】
一方、白レベル調整開始命令のトリガが電源投入であった場合には、何らかの影響を受けて、前回使用した利得値では目標値にならない場合が考えられる。その様な場合に備え、ＮＶＲＡＭ４２に保存した利得テーブルの中から、利得値を選択し、ピーク値に乗算する値とする（ステップ３０８）。
【００６３】
ここで、ステップ３０７，３０８で選択した利得値による調整値が目標範囲内におさまっているかどうかを調べる（ステップ３０９）。ステップ３０９の結果がＮＯになるときには、ステップ３０８に戻り、利得テーブルから、ステップ３０７，３０８で選択した利得値から、ステップ３０９の判定結果において利得値が低い場合は、上の値方向に補正された利得値を取り出し、また、ステップ３０９の判定結果において利得値が高い場合は、下の値方向に補正された利得値を取り出し、利得値を再度選択する。そして、ステップ３０９に進み、再度、ステップ３０８で選択した利得値による調整値が目標範囲内におさまっているかどうかを調べる（低い場合は負方向に補正された利得値）の選択を行う。ステップ３０９の結果がＹＥＳになるまで、この利得値の調整を繰り返し行う。
【００６４】
ステップ３０９の結果がＹＥＳになり、ピーク値に乗算する利得値が決まっると、調整目標値が決まり（ステップ３１０）、調整終了となる。
【００６５】
ところで、図１に示したような自動原稿搬送ユニット１ａを備えた原稿読取装置の場合には、搬送ドラム７の表面に形成されている基準白背景部を読み取ることにより、図５，６，８の調整動作を行うことができる。
【００６６】
図９は、図２のように自動原稿搬送ユニット１ａを備えていない原稿読取装置が、省エネモードへ移行する際の処理の一例を示している。
【００６７】
一定時間、ユーザーから原稿読取装置に対して処理命令がなされなかった時、原稿読取装置は省エネモードに移行する様に命令が下される。それにより、原稿読取装置は白レベル調整において参照している基準白背景部ＷＬｂ’にゴミ等の汚れが付着していないか検出を開始する（ステップ４０１）。ゴミ等の汚れが付着しているにも関わらず、基準白背景部ＷＬｂ’を参照し白レベル調整を行うと、基準白背景部ＷＬｂ’よりも白レベル濃度の高い読取原稿を読み取った時に読み取り値が飽和してしまう懸念がある。
【００６８】
汚れ検出を開始されると、ランプ１２を点灯し（ステップ４０２）、最初に原稿読取直前にシェーディングデータ生成の為に必要な基準白板ＷＬａの読み取れる位置へキャリッジを移動させる（シェーディングに関しては周知である事より、ここでは説明を省略する）（ステップ４０３）。
【００６９】
基準白板読み取り可能な位置でキャリッジを停止させ、基準白板ＷＬａを読み取り（ステップ４０４）、得られたデータから比較基準となるピーク値１の検出を行い（ステップ４０５）、ピーク値１に対する利得補正値を演算し記憶しておく（ステップ４０６）。その後、キャリッジを読取窓位置１０へ移動させ（ステップ４０７）、基準白背景部ＷＬｂ’の読み取りを行い（ステップ４０８）、基準白背景部ＷＬｂ’におけるピーク値２の検出を行う（ステップ４０９）。
【００７０】
次に、基準白板ＷＬａで得られたピーク値１に基づいて、基準白背景部ＷＬｂ’に汚れ等が付着していないか判断する。
【００７１】
ここで、得られるピーク値２はノイズ等の影響によりバラツキはあるものの、基準白背景部ＷＬｂ’に汚れの付着していた場合には、低くなったピーク値となり、利得値を乗算しても白レベル目標値に達しない事が予想される。
【００７２】
一方、何かしらの影響によって高いピーク値となった場合、利得値を乗算する事で目標値を越えてしまう懸念がある。
【００７３】
したがって、ピーク値１を基にバラツキを考慮し（ここでは仮にバラツキ量を±Ａとする）、ピーク値２が許容範囲であるか判定する（ステップ４１０）。ピーク値２がピーク値１に対し許容範囲にあったならば（ステップ４１０の結果がＹＥＳ）、ピーク値２に対する利得補正値を演算・記憶しておく（ステップ４１１）。
【００７４】
次いで、基準白背景部ＷＬｂ’に汚れ無し／許容濃度として判定し（ステップ４１２）、ランプ１２を消灯し（ステップ４１３）、キャリッジを読取窓１０の下に停止させた状態で、省エネモードに移行する。
【００７５】
一方、ピーク値２が許容範囲外であった場合で、ステップ４１０の結果がＮＯになるときには、基準白背景部ＷＬｂ’の読み取った箇所をずらす。すなわち、読み取りラインの変更を行うためにキャリッジを移動させる（ステップ４１４，４１５）。
【００７６】
キャリッジ移動距離が確実に基準白背景部ＷＬｂ’を読み取れる読取窓１０を超えない様に移動可能距離を予め設定しておく（本実施例では仮に距離Ｂとする）。キャリッジ移動距離がＢ以下である時（ステップ４１６の結果がＹＥＳ）、移動させた読み取り可能位置で基準白背景部ＷＬｂ’の読み取りを行う（ステップ４１７）。ステップ４１７の結果、ピーク値の検出を行い（ステップ４１８）、得られたピーク値をピーク値２として更新し（ステップ４１９）、ステップ４０９へ進み、それ以降の処理を実行する。
【００７７】
キャリッジを距離Ｂ以上移動させてもピーク値２が許容範囲内に収まらない場合で、ステップ４１６の結果がＮＯになるときには、基準白背景部ＷＬｂ’の汚れと判定し（ステップ４２０）、キャリッジを基準白板ＷＬａへ移動させ（ステップ４２１）、ランプ１２を消灯し（ステップ４２２）、省エネモードへ移行する。キャリッジが基準白板ＷＬａに位置している状態で下で省エネモードに移行させているので、省エネモードから復帰直後ランプ１２を点灯させると、その場で調整が可能となり、時間短縮が可能である。
【００７８】
また、キャリッジが基準白背景部ＷＬｂ’に位置している状態で、省エネモードから復帰した時には、ステップ４１１で記憶している利得補正値を使用し、キャリッジが基準白板ＷＬａに位置している状態で、省エネモードから復帰した時には、ステップ４０６で記憶した利得補正値を使用する事ができる。
【００７９】
このようにして、基準白背景部に汚れ付着部分があっても、汚れ付着部分の無い適切な白レベル調整値を得られる検出可能位置を探す事ができる。また、省エネ移行時に基準白背景部の汚れ検出を行っているので、ユーザにとって使用の妨げにならずに、適切な基準濃度検出位置を得る事ができる。また、適切な検出位置でキャリッジを停止させ、省エネモードに移行するため、省エネモードからの復帰後直ちに白レベル調整を行う事ができる。
【００８０】
図１０は、図１のように自動原稿搬送ユニット１ａを備えている原稿読取装置が、省エネモードへ移行する際の処理の一例を示している。
【００８１】
一定時間、ユーザーから原稿読取装置に対して処理命令がなされなかった時、原稿読取装置は省エネモードに移行する様に命令が下される。それにより、原稿読取装置は白レベル調整において参照している基準白背景部にゴミ等の汚れが付着していないか検出を開始する（ステップ５０１）。ゴミ等の汚れが付着しているにも関わらず、基準白背景部を参照し白レベル調整を行うと、基準白背景部よりも白レベル濃度の高い読取原稿を読み取った時に読み取り値が飽和してしまう懸念がある。
【００８２】
汚れ検出を開始されると、ランプ１２を点灯し（ステップ５０２）、最初に原稿読取直前にシェーディングデータ生成の為に必要な基準白板ＷＬａの読み取れる位置へキャリッジを移動させる（シェーディングに関しては周知である事より、ここでは説明を省略する）（ステップ５０３）。
【００８３】
基準白板読み取り可能な位置でキャリッジを停止させ、基準白板ＷＬａを読み取り（ステップ５０４）、得られたデータから比較基準となるピーク値１の検出を行い（ステップ５０５）、ピーク値１に対する利得補正値を演算し記憶しておく（ステップ５０６）。その後、キャリッジを読取窓位置１０へ移動させ（ステップ５０７）、搬送ドラム７の表面の基準白背景部の読み取りを行い（ステップ５０８）、基準白背景部におけるピーク値２の検出を行う（ステップ５０９）。
【００８４】
次に、基準白板ＷＬａで得られたピーク値１に基づいて、基準白背景部に汚れ等が付着していないか判断する。
【００８５】
ここで、得られるピーク値２はノイズ等の影響によりバラツキはあるものの、基準白背景部に汚れの付着していた場合には、低くなったピーク値となり、利得値を乗算しても白レベル目標値に達しない事が予想される。
【００８６】
一方、何かしらの影響によって高いピーク値となった場合、利得値を乗算する事で目標値を越えてしまう懸念がある。
【００８７】
したがって、ピーク値１を基にバラツキを考慮し（ここでは仮にバラツキ量を±Ａとする）、ピーク値２が許容範囲であるか判定する（ステップ５１０）。ピーク値２がピーク値１に対し許容範囲にあったならば（ステップ５１０の結果がＹＥＳ）、ピーク値２に対する利得補正値を演算・記憶しておく（ステップ５１１）。
【００８８】
次いで、基準白背景部に汚れ無し／許容濃度として判定し（ステップ５１２）、ランプ１２を消灯し（ステップ５１３）、キャリッジを読取窓１０の下に停止させた状態で、省エネモードに移行する。
【００８９】
一方、ピーク値２が許容範囲外であった場合で、ステップ５１０の結果がＮＯになるときには、基準白背景部の読み取った箇所をずらす。すなわち、読み取りラインの変更を行うために搬送ドラム７を回転させる（ステップ５１４，５１５）。但し、汚れが搬送ドラム７の全体に付着しており一回転させても許容濃度を得られない場合も考えられるため搬送ドラム７の回転量をモニタしておく必要がある。
【００９０】
搬送ドラム７の回転量がＢ以下の時には（ステップ５１６の結果がＹＥＳ）、搬送ドラム７の表面の基準白背景部の読み取りを行う（ステップ５１７）。ステップ５１７の結果、ピーク値の検出を行い（ステップ５１８）、得られたピーク値をピーク値２として更新し（ステップ５１９）、ステップ５０９へ進み、それ以降の処理を実行する。
【００９１】
搬送ドラム７の回転量がＢを超えてもピーク値２が許容範囲内に収まらない場合で、ステップ５１６の結果がＮＯになるときには、基準白背景部の汚れと判定し（ステップ５２０）、キャリッジを基準白板ＷＬａへ移動させ（ステップ５２１）、ランプ１２を消灯し（ステップ５２２）、省エネモードへ移行する。キャリッジが基準白板ＷＬａに位置している状態で下で省エネモードに移行させているので、省エネモードから復帰直後ランプ１２を点灯させると、その場で調整が可能となり、時間短縮が可能である。
【００９２】
また、キャリッジが読取窓１０通して基準白背景部に位置している状態で、省エネモードから復帰した時には、ステップ５１１で記憶している利得補正値を使用し、キャリッジが基準白板ＷＬａに位置している状態で、省エネモードから復帰した時には、ステップ５０６で記憶した利得補正値を使用する事ができる。
【図面の簡単な説明】
【００９３】
【図１】本発明の一実施例にかかる原稿読取装置の概略構成の一例を示した概略構成図。
【図２】本発明の他の実施例にかかる原稿読取装置の概略構成の一例を示した概略構成図。
【図３】本発明の一実施例にかかる原稿読取装置の制御系の一例を示したブロック図。
【図４】原稿読み取り部４１の概略構成を示したブロック図。
【図５】白レベル調整動作の一例を示したフローチャート。
【図６】電源投入時または省エネモードからの復帰時において行われる白レベル調整動作の処理の一例を示したフローチャート。
【図７】利得テーブルの一例を示した概略図。
【図８】電源投入時または省エネモードからの復帰時において行われる白レベル調整動作の処理の他の例を示したフローチャート。
【図９】図２のように自動原稿搬送ユニット１ａを備えていない原稿読取装置が、省エネモードへ移行する際の処理の一例を示したフローチャート。
【図１０】図１のように自動原稿搬送ユニット１ａを備えている原稿読取装置が、省エネモードへ移行する際の処理の一例を示したフローチャート。
【符号の説明】
【００９４】
１ａ  自動原稿搬送部
１ｂ  画像読取ユニット
７  搬送ドラム
１０  読取窓
１４  第１キャリッジ
１７  第２キャリッジ
２０  ＣＣＤラインイメージセンサ
３１  ＣＰＵ（中央処理装置）
３２  ＲＯＭ（リード・オンリ・メモリ）
３３  ＲＡＭ（ランダム・アクセス・メモリ）
４２  ＮＶＲＡＭ（不揮発性メモリ）
４５  電源ユニット
５１  タイミング発生部
５２  アナログ信号処理部
５３  Ａ／Ｄ変換器
ＨＳ  ホームポジションセンサ
ＷＬａ  基準白板
ＷＬｂ、ＷＬｂ’  基準白背景部
【図１】
2010068397.tif 000003
【図２】
2010068397.tif 000004
【図３】
2010068397.tif 000005
【図４】
2010068397.tif 000006
【図５】
2010068397.tif 000007
【図６】
2010068397.tif 000008
【図７】
2010068397.tif 000009
【図８】
2010068397.tif 000010
【図９】
2010068397.tif 000011
【図１０】
2010068397.tif 000012